(57)【要約】【課題】撮像装置において、タイムラグの少ない撮影を可能とする。【解決手段】撮影光学系を通過した被写体像を光電変換して画像データを生成する撮像部２と、画像データを記憶する記憶部と、撮影光学系を移動させつつ、撮影光学系の所定の光学配置毎に、撮像部により画像データを生成して画像データを記憶部に記憶し、記憶された複数の画像データから最もコントラストが高い画像データを選択する制御部１とを具備する。【選択図】　　　図２
2004015212.tif 000002
【特許請求の範囲】
【請求項１】
撮影光学系を通過した被写体像を光電変換して画像データを生成する撮像手段と、
前記画像データを記憶する記憶手段と、
前記撮影光学系を移動させつつ、該撮影光学系の所定の光学配置毎に、前記撮像手段により画像データを生成して該画像データを前記記憶手段に記憶し、該記憶された複数の画像データから最もコントラストが高い画像データを選択する制御手段とを具備することを特徴とする撮像装置。
【請求項２】
撮影光学系を通過した被写体像を光電変換して画像データを生成する撮像手段と、
前記画像データを記憶する記憶手段と、
前記撮影光学系を移動させつつ、該撮影光学系の所定の光学配置毎に、前記撮像手段により画像データを生成して該画像データを前記記憶手段に記憶し、該記憶された第１の画像データと、新たに生成された第２の画像データのコントラストを比較し、コントラストが高い方の画像データを保存し、コントラストが低い方の画像データへの新たな画像データの上書きを許可する制御手段とを具備することを特徴とする撮像装置。
【請求項３】
撮影光学系を通過した被写体像を光電変換して画像データを生成する撮像手段と、
前記画像データを記憶する記憶手段と、
前記撮影光学系を移動させつつ、該撮影光学系の所定の光学配置毎に、前記撮像手段により画像データを生成して該画像データを圧縮して前記記憶手段に記憶し、該記憶された複数の画像データから最もデータサイズが大きい画像データを選択する制御手段とを具備することを特徴とする撮像装置。
【請求項４】
撮影光学系を通過した被写体像を光電変換して画像データを生成する撮像手段と、
前記画像データを記憶する記憶手段と、
前記撮影光学系を移動させつつ、該撮影光学系の所定の光学配置毎に、前記撮像手段により画像データを生成して該画像データを圧縮して前記記憶手段に記憶し、該記憶された第１の画像データと、新たに生成された第２の画像データの圧縮後のデータサイズを比較し、データサイズが大きい方の画像データを保存し、データサイズが小さい方の画像データへの新たな画像データの上書きを許可する制御手段とを具備することを特徴とする撮像装置。
【請求項５】
前記撮影光学系を移動させる所定の光学配置とは、最短撮影可能被写体距離から無限遠までを被写界深度で分割した位置であることを特徴とする請求項１乃至４のいずれか１項に記載の撮像装置。
【請求項６】
前記撮影光学系を移動させる所定の光学配置とは、予め決められた被写体距離に合焦するように撮影光学系が配置される位置であることを特徴とする請求項１乃至４のいずれか１項に記載の撮像装置。
【請求項７】
前記制御手段は、選択された画像データを記録手段に記録させることを特徴とする請求項１又は３に記載の撮像装置。
【請求項８】
前記制御手段は、最後に保存されている画像データのうち、データサイズが大きいものを記録手段に記録することを特徴とする請求項２又は４に記載の撮像装置。
【請求項９】
前記制御手段は、コントラストの最大値を過ぎた場合には、コントラスト最大値以降の画像データの生成を禁止することを特徴とする請求項１又は２に記載の撮像装置。
【請求項１０】
前記制御手段は、データサイズの最大値を過ぎた場合には、データサイズの最大値以降の画像データの取り込みを禁止することを特徴とする請求項３又は４に記載の撮像装置。
【請求項１１】
前記制御手段は、フラッシュ発光が必要な場合にはコントラスト最大値直後に発光させ、フラッシュ発光時の画像データを記録手段に記録させることを特徴とする請求項１又は２に記載の撮像装置。
【請求項１２】
前記制御手段は、フラッシュ発光が必要な場合にはデータサイズ最大値直後に発光させ、フラッシュ発光時の画像データを記録手段に記録させることを特徴とする請求項３又は４に記載の撮像装置。
【請求項１３】
前記制御手段は、フラッシュ発光が必要な場合にはコントラスト最大値となる位置まで撮影光学系を再度移動させ、コントラスト最大値位置で発光させ、フラッシュ発光時の画像データを記録手段に記録させることを特徴とする請求項１又は２に記載の撮像装置。
【請求項１４】
前記制御手段は、フラッシュ発光が必要な場合にはデータサイズ最大値となる位置まで撮影光学系を再度移動させ、データサイズ最大値位置で発光させ、フラッシュ発光時の画像データを記録手段に記録させることを特徴とする請求項３又は４に記載の撮像装置。
【請求項１５】
撮影光学系を通過した被写体像を光電変換して画像データを生成する撮像手段と、前記画像データを記憶する記憶手段とを具備する撮像装置を制御するための撮像装置の制御方法であって、
前記撮影光学系を移動させつつ、該撮影光学系の所定の光学配置毎に、前記撮像手段により画像データを生成して該画像データを前記記憶手段に記憶し、該記憶された複数の画像データから最もコントラストが高い画像データを選択することを特徴とする撮像装置の制御方法。
【請求項１６】
撮影光学系を通過した被写体像を光電変換して画像データを生成する撮像手段と、前記画像データを記憶する記憶手段とを具備する撮像装置を制御するための撮像装置の制御方法であって、
前記撮影光学系を移動させつつ、該撮影光学系の所定の光学配置毎に、前記撮像手段により画像データを生成して該画像データを前記記憶手段に記憶し、該記憶された第１の画像データと、新たに生成された第２の画像データのコントラストを比較し、コントラストが高い方の画像データを保存し、コントラストが低い方の画像データへの新たな画像データの上書きを許可することを特徴とする撮像装置の制御方法。
【請求項１７】
撮影光学系を通過した被写体像を光電変換して画像データを生成する撮像手段と、前記画像データを記憶する記憶手段とを具備する撮像装置を制御するための撮像装置の制御方法であって、
前記撮影光学系を移動させつつ、該撮影光学系の所定の光学配置毎に、前記撮像手段により画像データを生成して該画像データを圧縮して前記記憶手段に記憶し、該記憶された複数の画像データから最もデータサイズが大きい画像データを選択することを特徴とする撮像装置の制御方法。
【請求項１８】
撮影光学系を通過した被写体像を光電変換して画像データを生成する撮像手段と、前記画像データを記憶する記憶手段とを具備する撮像装置を制御するための撮像装置の制御方法であって、
前記撮影光学系を移動させつつ、該撮影光学系の所定の光学配置毎に、前記撮像手段により画像データを生成して該画像データを圧縮して前記記憶手段に記憶し、該記憶された第１の画像データと、新たに生成された第２の画像データの圧縮後のデータサイズを比較し、データサイズが大きい方の画像データを保存し、データサイズが小さい方の画像データへの新たな画像データの上書きを許可することを特徴とする撮像装置の制御方法。
【請求項１９】
請求項１５乃至１８のいずれか１項に記載の制御方法をコンピュータに実行させることを特徴とするプログラム。
【請求項２０】
請求項１９に記載のプログラムをコンピュータ読み取り可能に記憶したことを特徴とする記憶媒体。
【発明の詳細な説明】
【０００１】
【発明の属する技術分野】
本発明は、オートフォーカス機能を有する撮像装置に関するものである。
【０００２】
【従来の技術】
従来、デジタルカメラでは、撮像素子であるＣＣＤがＡＦ（オートフォーカス）にも利用可能なため、小型化とコストダウンの目的からＡＦユニットを独立して積んでいないものが主流となっている。そのため、撮影光学系を通過した被写体光によりＡＦ動作を行う。
【０００３】
ＡＦ動作から撮影動作までを略説する。撮影者が撮影操作を行うと撮影光学系を無限遠から最短撮影可能被写体距離まで合焦するように駆動し、駆動中に得られる被写体光をＣＣＤにより電子データへ変換する。得られた電子データの所定の領域のコントラストを測定することで最もコントラストが高くなる光学配置を決定する。最もコントラストが高くなる光学配置が決定された後、撮影光学系を最もコントラストが高くなる光学配置へ駆動し、撮影光学系が移動した後、撮影が行われる。
【０００４】
特開平１０−１０８０５７号公報には、表示された画像領域の中からピント位置を指示すると、ピント位置をずらしながら複数回画像を撮影するものが開示されている。
【０００５】
また、シャッターボタンを押し続けることで、連続して画像を取り込み、取り込まれた画像の中から最も手ぶれの少ない画像を自動選択するものが市販されている。
【０００６】
【発明が解決しようとする課題】
しかしながら、従来のＡＦ動作では１度最至近から無限遠まで合焦するように撮影光学系を駆動し、その後再度撮影光学系を合焦位置に駆動し撮影を行う。そのため、撮影光学系が往復運動を行うことになり、撮影タイムラグが大きくなる問題点がある。
【０００７】
また、特開平１０−１０８０５７号公報記載の構成では、ピント位置を指示するとピント位置をずらしながら複数回撮影するが、基本となるピント位置の測距手順は従来と同じであり、タイムラグが大きくなる問題点がある。
【０００８】
また、複数の画像から最も手ぶれの少ない画像を自動選択するものも、ピント位置の測距手順は従来と同じであり、タイムラグが大きくなる問題点がある。
【０００９】
従って、本発明は上述した課題に鑑みてなされたものであり、その目的は、撮像装置において、タイムラグの少ない撮影を可能とすることである。
【００１０】
【課題を解決するための手段】
上述した課題を解決し、目的を達成するために、本発明に係わる撮像装置は、撮影光学系を通過した被写体像を光電変換して画像データを生成する撮像手段と、前記画像データを記憶する記憶手段と、前記撮影光学系を移動させつつ、該撮影光学系の所定の光学配置毎に、前記撮像手段により画像データを生成して該画像データを前記記憶手段に記憶し、該記憶された複数の画像データから最もコントラストが高い画像データを選択する制御手段とを具備することを特徴としている。
【００１１】
また、本発明に係わる撮像装置は、撮影光学系を通過した被写体像を光電変換して画像データを生成する撮像手段と、前記画像データを記憶する記憶手段と、前記撮影光学系を移動させつつ、該撮影光学系の所定の光学配置毎に、前記撮像手段により画像データを生成して該画像データを前記記憶手段に記憶し、該記憶された第１の画像データと、新たに生成された第２の画像データのコントラストを比較し、コントラストが高い方の画像データを保存し、コントラストが低い方の画像データへの新たな画像データの上書きを許可する制御手段とを具備することを特徴としている。
【００１２】
また、本発明に係わる撮像装置は、撮影光学系を通過した被写体像を光電変換して画像データを生成する撮像手段と、前記画像データを記憶する記憶手段と、前記撮影光学系を移動させつつ、該撮影光学系の所定の光学配置毎に、前記撮像手段により画像データを生成して該画像データを圧縮して前記記憶手段に記憶し、該記憶された複数の画像データから最もデータサイズが大きい画像データを選択する制御手段とを具備することを特徴としている。
【００１３】
また、本発明に係わる撮像装置は、撮影光学系を通過した被写体像を光電変換して画像データを生成する撮像手段と、前記画像データを記憶する記憶手段と、前記撮影光学系を移動させつつ、該撮影光学系の所定の光学配置毎に、前記撮像手段により画像データを生成して該画像データを圧縮して前記記憶手段に記憶し、該記憶された第１の画像データと、新たに生成された第２の画像データの圧縮後のデータサイズを比較し、データサイズが大きい方の画像データを保存し、データサイズが小さい方の画像データへの新たな画像データの上書きを許可する制御手段とを具備することを特徴としている。
【００１４】
また、この発明に係わる撮像装置において、前記撮影光学系を移動させる所定の光学配置とは、最短撮影可能被写体距離から無限遠までを被写界深度で分割した位置であることを特徴としている。
【００１５】
また、この発明に係わる撮像装置において、前記撮影光学系を移動させる所定の光学配置とは、予め決められた被写体距離に合焦するように撮影光学系が配置される位置であることを特徴としている。
【００１６】
また、この発明に係わる撮像装置において、前記制御手段は、選択された画像データを記録手段に記録させることを特徴としている。
【００１７】
また、この発明に係わる撮像装置において、前記制御手段は、最後に保存されている画像データのうち、データサイズが大きいものを記録手段に記録することを特徴としている。
【００１８】
また、この発明に係わる撮像装置において、前記制御手段は、コントラストの最大値を過ぎた場合には、コントラスト最大値以降の画像データの生成を禁止することを特徴としている。
【００１９】
また、この発明に係わる撮像装置において、前記制御手段は、データサイズの最大値を過ぎた場合には、データサイズの最大値以降の画像データの取り込みを禁止することを特徴としている。
【００２０】
また、この発明に係わる撮像装置において、前記制御手段は、フラッシュ発光が必要な場合にはコントラスト最大値直後に発光させ、フラッシュ発光時の画像データを記録手段に記録させることを特徴としている。
【００２１】
また、この発明に係わる撮像装置において、前記制御手段は、フラッシュ発光が必要な場合にはデータサイズ最大値直後に発光させ、フラッシュ発光時の画像データを記録手段に記録させることを特徴としている。
【００２２】
また、この発明に係わる撮像装置において、前記制御手段は、フラッシュ発光が必要な場合にはコントラスト最大値となる位置まで撮影光学系を再度移動させ、コントラスト最大値位置で発光させ、フラッシュ発光時の画像データを記録手段に記録させることを特徴としている。
【００２３】
また、この発明に係わる撮像装置において、前記制御手段は、フラッシュ発光が必要な場合にはデータサイズ最大値となる位置まで撮影光学系を再度移動させ、データサイズ最大値位置で発光させ、フラッシュ発光時の画像データを記録手段に記録させることを特徴としている。
【００２４】
また、本発明に係わる撮像装置の制御方法は、撮影光学系を通過した被写体像を光電変換して画像データを生成する撮像手段と、前記画像データを記憶する記憶手段とを具備する撮像装置を制御するための撮像装置の制御方法であって、前記撮影光学系を移動させつつ、該撮影光学系の所定の光学配置毎に、前記撮像手段により画像データを生成して該画像データを前記記憶手段に記憶し、該記憶された複数の画像データから最もコントラストが高い画像データを選択することを特徴としている。
【００２５】
また、本発明に係わる撮像装置の制御方法は、撮影光学系を通過した被写体像を光電変換して画像データを生成する撮像手段と、前記画像データを記憶する記憶手段とを具備する撮像装置を制御するための撮像装置の制御方法であって、前記撮影光学系を移動させつつ、該撮影光学系の所定の光学配置毎に、前記撮像手段により画像データを生成して該画像データを前記記憶手段に記憶し、該記憶された第１の画像データと、新たに生成された第２の画像データのコントラストを比較し、コントラストが高い方の画像データを保存し、コントラストが低い方の画像データへの新たな画像データの上書きを許可することを特徴としている。
【００２６】
また、本発明に係わる撮像装置の制御方法は、撮影光学系を通過した被写体像を光電変換して画像データを生成する撮像手段と、前記画像データを記憶する記憶手段とを具備する撮像装置を制御するための撮像装置の制御方法であって、前記撮影光学系を移動させつつ、該撮影光学系の所定の光学配置毎に、前記撮像手段により画像データを生成して該画像データを圧縮して前記記憶手段に記憶し、該記憶された複数の画像データから最もデータサイズが大きい画像データを選択することを特徴としている。
【００２７】
また、本発明に係わる撮像装置の制御方法は、撮影光学系を通過した被写体像を光電変換して画像データを生成する撮像手段と、前記画像データを記憶する記憶手段とを具備する撮像装置を制御するための撮像装置の制御方法であって、前記撮影光学系を移動させつつ、該撮影光学系の所定の光学配置毎に、前記撮像手段により画像データを生成して該画像データを圧縮して前記記憶手段に記憶し、該記憶された第１の画像データと、新たに生成された第２の画像データの圧縮後のデータサイズを比較し、データサイズが大きい方の画像データを保存し、データサイズが小さい方の画像データへの新たな画像データの上書きを許可することを特徴としている。
【００２８】
また、本発明に係わるプログラムは、上記の制御方法をコンピュータに実行させることを特徴としている。
【００２９】
また、本発明に係わる記憶媒体は、上記のプログラムをコンピュータ読み取り可能に記憶したことを特徴としている。
【００３０】
【発明の実施の形態】
以下、本発明の好適な実施形態について、添付図面を参照して詳細に説明する。
【００３１】
（第１の実施形態）
図１Ａ、図１Ｂは本発明を適用した第１の実施形態のデジタル・カメラの外観斜視図である。図２は第１の実施形態のデジタル・カメラのブロック図である。
【００３２】
撮影までの動作を略説する。撮影者が本体１００に設けられたメイン電源１０５を操作すると、カメラマイコン１は撮像部２を構成する撮影光学系を内包する撮影レンズ鏡筒１０１、発光装置５を構成するフラッシュ１０４を本体１００より突出させ、撮影可能状態とする。なお、撮像部２には、撮影光学系により結像された被写体像を光電変換して画像信号を生成するためのＣＣＤ等の撮像素子が配置されている。撮影者はファインダー（対物レンズ）１０７を覗くか、若しくは、画像表示部６を構成する液晶ディスプレイ１０６を見ながらズームボタン１０８を操作し、画角を決定する。撮影者が画角を決定した後、レリーズボタン１０３を操作すると撮影レンズ鏡筒１０１或いは内包する光学系の少なくとも１部が駆動され撮影が行われ、画像データが記録媒体７であるメモリに記録される。
【００３３】
尚、本実施形態ではズームタイプのものを例示しているが、本発明はこれに限定されるものではなく、短焦点タイプであっても適用可能である。またフラッシュ、ファインダー、画像表示部は本発明に於ける必須の構成要素ではなく、これらがなくても適用可能である。
【００３４】
レリーズボタン１０３が操作されてから画像データがメモリに記録されるまでの制御を図３Ａ、図３Ｂ、図４を用いて説明する。
【００３５】
図３Ａはコントラストグラフであり縦軸がコントラスト、横軸が撮影光学系の配置である。図３Ｂは図３Ａのステップ１０付近を拡大図示したものである。
【００３６】
図３Ａにおいて、レリーズボタン１０３が操作されるとカメラマイコン１は撮影レンズ鏡筒１０１或いは内包する光学系の少なくとも１部を無限遠合焦位置から最短合焦位置まで駆動する。撮影レンズ鏡筒１０１或いは内包する光学系の少なくとも１部を移動させつつ、ステップ１〜２０に於いて画像データを記録媒体７であるメモリに取り込む。即ちメモリには２０枚の画像データが取り込まれている。尚本実施形態では２０ステップとしているが、本発明はこれに限定されるものではなく、多いほど望ましい。
【００３７】
画像データをメモリに取り込む第１の光学配置は、許容錯乱円径から求められる被写界深度で最短撮影可能距離から無限遠までを分割した場合の、各領域を満たす位置である。図３Ｂを用いて説明する。
【００３８】
各ステップ位置において許容錯乱円径と光学性能から前側被写界深度と後側被写界深度が決定される。ステップ９における後側被写界深度とステップ１０における前側被写界深度とを連続（９ａ）させておく。またステップ１０における後側被写界深度とステップ１１における前側被写界深度とを連続（１０ａ）させておく。するとステップ１０では被写体距離が９ａから１０ａにある被写体に実用上合焦している写真を得ることが可能となる。このように最短撮影可能距離から無限遠まで繰り返していくと全ての被写体距離をカバー可能になる。尚、これよりも細かく分割しても良い。
【００３９】
画像データをメモリに取り込む第２の光学配置は、予め合焦する被写体距離を設定しておく方法である。被写体距離が短いほど細かく設定し、被写体距離が長いほど間隔を相対的に広く設定しておけばよい。
【００４０】
図３Ａにおいて、ステップ１〜２０で取り込まれた２０枚の画像データのコントラストがステップ１０でピークとなっていると想定する。コントラストを測定する領域は公知の技術を用いればよい。例えば、光軸中心付近の領域のみを測定しても良いし、数カ所の測定領域を用いてもよい。図４は画像選択の概念図である。コントラスト判断部３を用いて画像１〜２０からコントラストがピークである画像１０を自動選択する。画像１０を選択した後、画像１０を記録媒体７であるメモリに記録する。
【００４１】
以上のレリーズボタン１０３が操作されてから記録されるまでのフローチャートを図５に示す。本実施形態では撮影光学系を無限遠に合焦する配置から、最短撮影可能距離に合焦する配置まで駆動しつつ撮影動作を行うものとする。
【００４２】
ＳＴＡＲＴがレリーズボタン１０３が操作された状態である。ステップＳ１０１において、撮影レンズ鏡筒１０１或いは内包する光学系の少なくとも１部が駆動される。ステップＳ１０２において撮影レンズ鏡筒１０１或いは内包する光学系の少なくとも１部が所定の光学配置になったかどうかが判断される。ここで、所定の光学配置とは、上記で説明した第１の光学配置又は第２の光学配置である。所定の光学配置になっていないと判断されるとステップＳ１０１に戻り、更に撮影光学系が駆動される。所定の光学配置になったと判断されると、ステップＳ１０３においてその光学配置に於ける被写体光を画像データとしてメモリに取り込む。画像データが取り込まれた後、ステップＳ１０４において光学配置が最短撮影可能距離であるかどうかが判断される。光学配置が最短撮影可能距離ではないと判断されるとステップＳ１０１に戻り、光学配置を変更しつつ繰り返し画像を取り込んでいく。ステップＳ１０４において最短撮影可能距離であると判断されるとステップＳ１０５において画像の取り込みを停止させる。画像の取り込みを停止させた後、ステップＳ１０６において取り込まれた複数の画像データのコントラストをコントラスト測定部４により測定し、コントラスト比較部３によりコントラストが最大になっている画像を選択する。コントラストはピントが合っている画像ほど高くなるのは周知の通りである。コントラストが最大の画像選択後、ステップＳ１０７において選択された画像を記録媒体７であるメモリに記録する。画像を保存した後、撮影待機状態（ＳＴＯＰ）となる。
【００４３】
尚本実施形態では、複数枚の画像データを取り込んだ後にコントラストの測定を行っているが、本発明はこれに限定されるものではなく、画像データを取り込んだ直後、即ちステップＳ１０３後にコントラスト測定を行って、ステップＳ１０６でコントラストが最大値のものを選択する制御であっても何ら問題ない。
【００４４】
（第２の実施形態）
本発明を適用した第２の実施形態のデジタル・カメラについて説明する。デジタル・カメラの構成は第１の実施形態と同一でよいから説明を省略する。
【００４５】
レリーズボタン１０３が操作されてから記録されるまでのフローチャートを図６に示す。本実施形態では撮影光学系を無限遠に合焦する配置から、最短撮影可能距離に合焦する配置まで駆動しつつ撮影動作を行うものとする。
【００４６】
ＳＴＡＲＴがレリーズボタン１０３が操作された状態である。ステップＳ２０１において、撮影レンズ鏡筒１０１或いは内包する光学系の少なくとも１部が駆動される。ステップＳ２０２において撮影レンズ鏡筒１０１或いは内包する光学系の少なくとも１部が所定の光学配置になったかどうかが判断される。所定の光学配置は第１の実施形態で記述した第１の配置、第２の配置のどちらでもよい。所定の光学配置になっていないと判断されるとステップＳ２０１に戻り、更に撮影光学系が駆動される。所定の光学配置になったと判断されると、ステップＳ２０３においてその光学配置に於ける被写体光を第１の画像データとしてメモリに取り込む。第１の画像データが取り込まれた後、ステップＳ２０４において更に撮影レンズ鏡筒１０１或いは内包する光学系の少なくとも１部が駆動される。ステップＳ２０５において撮影レンズ鏡筒１０１或いは内包する光学系の少なくとも１部が所定の光学配置になったかが判断される。所定の光学配置になっていないと判断されるとステップＳ２０４に戻り、更に撮影光学系が駆動される。所定の光学配置になったと判断されると、ステップＳ２０６においてその光学配置に於ける被写体光を第２の画像データとしてメモリに取り込む。第２の画像データが取り込まれた後、ステップＳ２０７において第１の画像データと第２の画像データのコントラストをコントラスト測定部４により測定し、コントラスト判断部３により第１の画像データのコントラストが第２の画像データのコントラストよりも高いかが判断される。コントラストはピントが合っている画像ほど高くなるのは周知の通りである。第１の画像データのコントラストが第２の画像データのコントラストよりも低いと判断されると、ステップＳ２０７５において、第１の画像データを第２の画像データと設定し、第２の画像データを第１の画像データと設定し、ステップＳ２０８へ移る。第１の画像データのコントラストが第２の画像データのコントラストよりも高いと判断されると、ステップＳ２０８において、第１の画像データを保持し、第２の画像データへの新たな画像データの上書きを許可する設定を行う。上書き設定が行われた後、ステップＳ２０９において、光学配置が最短撮影可能距離であるかどうかが判断される。光学配置が最短撮影可能距離ではないと判断されるとステップＳ２０４に戻り光学配置を変更し第２の画像データとして取り込み、第１の画像データと比較することを繰り返す。ステップＳ２０９において最短撮影可能距離であると判断されるとステップＳ２１０において画像の取り込みを停止させる。画像の取り込みを停止させた後、ステップＳ２１１において最後に第１の画像データとして保持されている画像データをメモリに記録する。画像を保存した後、撮影待機状態（ＳＴＯＰ）となる。
【００４７】
（第３の実施形態）
本発明を適用した第３の実施形態のデジタル・カメラについて説明する。デジタル・カメラの構成は第１の実施形態と同一でよいから説明を省略する。
【００４８】
レリーズボタン１０３が操作されてから記録されるまでのフローチャートを図７に示す。本実施形態では撮影光学系を無限遠に合焦する配置から、最短撮影可能距離に合焦する配置まで駆動しつつ撮影動作を行うものとする。
【００４９】
ＳＴＡＲＴがレリーズボタン１０３が操作された状態である。ステップＳ３０１において、撮影レンズ鏡筒１０１或いは内包する光学系の少なくとも１部が駆動される。ステップＳ３０２において撮影レンズ鏡筒１０１或いは内包する光学系の少なくとも１部が所定の光学配置になったかどうかが判断される。所定の光学配置は第１の実施形態で記述した第１の配置、第２の配置のどちらでもよい。所定の光学配置になっていないと判断されるとステップＳ３０１に戻り、更に撮影光学系が駆動される。所定の光学配置になったと判断されると、ステップＳ３０３においてその光学配置に於ける被写体光を画像データとしてメモリに取り込む。画像データが取り込まれた後、ステップＳ３０４においてデータ圧縮部８により画像データが圧縮される。圧縮方法は公知の技術でよい。例えばＪｐｅｇ形式やＴｉｆｆ形式等である。画像データが圧縮された後、ステップＳ３０５において、光学配置が最短撮影可能距離であるかどうかが判断される。光学配置が最短撮影可能距離ではないと判断されるとステップＳ３０１に戻り光学配置を変更しつつ繰り返し画像を取り込んでいく。ステップＳ３０５において最短撮影可能距離であると判断されるとステップＳ３０６において画像の取り込みを停止させる。画像の取り込みを停止させた後、ステップＳ３０７において取り込まれた複数の画像データのデータサイズをデータサイズ測定部１０により測定し、データサイズ比較部９によりデータサイズが最大になっている画像を選択する。画像データサイズはピントが合っている画像ほど大きくなるのは周知の通りである。データサイズが最大の画像を選択後、ステップＳ３０８において選択された画像を記録媒体７であるメモリに記録する。画像を保存した後、撮影待機状態（ＳＴＯＰ）となる。
【００５０】
尚、本実施形態では画像取り込み直後に画像圧縮を行っているが、本発明はこれに限定されるものではなく、複数の画像取り込みが終了した後、即ちステップＳ３０６の後に、画像圧縮を行ってもよい。
【００５１】
また本実施形態では、複数枚の画像データを取り込んだ後にデータサイズの測定を行っているが、本発明はこれに限定されるものではなく、画像データを取り込み圧縮を行った直後、即ちステップＳ３０４後にデータサイズ測定を行って、ステップＳ３０７でデータサイズが最大値のものを選択する制御であっても何ら問題ない。
【００５２】
（第４の実施形態）
本発明を適用した第４の実施形態のデジタル・カメラについて説明する。デジタル・カメラの構成は第１の実施形態と同一でよいから説明を省略する。
【００５３】
レリーズボタン１０３が操作されてから記録されるまでのフローチャートを図８に示す。本実施形態では撮影光学系を無限遠に合焦する配置から、最短撮影可能距離に合焦する配置まで駆動しつつ撮影動作を行うものとする。
【００５４】
ＳＴＡＲＴがレリーズボタン１０３が操作された状態である。ステップＳ４０１において、撮影レンズ鏡筒１０１或いは内包する光学系の少なくとも１部が駆動される。ステップＳ４０２において撮影レンズ鏡筒１０１或いは内包する光学系の少なくとも１部が所定の光学配置になったかどうかが判断される。所定の光学配置は第１の実施形態で記述した第１の配置、第２の配置のどちらでもよい。所定の光学配置になっていないと判断されるとステップＳ４０１に戻り、更に撮影光学系が駆動される。所定の光学配置になったと判断されると、ステップＳ４０３においてその光学配置に於ける被写体光を第１の画像データとしてメモリに取り込む。画像データが取り込まれた後、ステップＳ４０４において画像データが圧縮される。圧縮方法は公知の技術でよい。例えばＪｐｅｇ形式やＴｉｆｆ形式等である。画像データが圧縮された後、ステップＳ４０５において更に撮影レンズ鏡筒１０１或いは内包する光学系の少なくとも１部が駆動される。ステップＳ４０６において撮影レンズ鏡筒１０１或いは内包する光学系の少なくとも１部が所定の光学配置になったかが判断される。所定の光学配置になっていないと判断されるとステップＳ４０５に戻り、更に撮影光学系が駆動される。所定の光学配置になったと判断されると、ステップＳ４０７においてその光学配置に於ける被写体光を第２の画像データとしてメモリに取り込む。第２の画像データが取り込まれた後、ステップＳ４０８において画像データが圧縮される。画像データが圧縮された後、ステップＳ４０９において第１の画像データと第２の画像データのデータサイズをデータサイズ測定部１０により測定し、データサイズ比較部９により第１の画像データのデータサイズが第２の画像データのデータサイズよりも大きいかが判断される。画像データサイズはピントが合っている画像ほど大きくなるのは周知の通りである。第１の画像データのデータサイズが第２の画像データのデータサイズよりも小さいと判断されると、ステップＳ４０９５において、第１の画像データを第２の画像データと設定し、第２の画像データを第１の画像データと設定し、ステップＳ４１０へ移る。第１の画像データのデータサイズが第２の画像データのデータサイズよりも大きいと判断されると、ステップＳ４１０において、第１の画像データを保持し、第２の画像データへの新たな画像データの上書きを許可する設定を行う。上書き設定が行われた後、ステップＳ４１１において、光学配置が最短撮影可能距離であるかどうかが判断される。光学配置が最短撮影可能距離ではないと判断されるとステップＳ４０５に戻り光学配置を変更し第２の画像データとして取り込み、第１の画像データと比較することを繰り返す。ステップＳ４１１において最短撮影可能距離であると判断されるとステップＳ４１２において画像の取り込みを停止させる。画像の取り込みを停止させた後、ステップＳ４１３において最後に第１の画像データとして保持されている画像データをメモリに記録する。画像を保存した後、撮影待機状態（ＳＴＯＰ）となる。
【００５５】
（第５の実施形態）
本発明を適用した第５の実施形態のデジタル・カメラについて説明する。デジタル・カメラの構成は第１の実施形態と同一でよいから説明を省略する。
【００５６】
レリーズボタン１０３が操作されてから記録されるまでのフローチャートを図９に示す。
【００５７】
ＳＴＡＲＴがレリーズボタン１０３が操作された状態である。ステップＳ５０１において、撮影レンズ鏡筒１０１或いは内包する光学系の少なくとも１部が駆動される。ステップＳ５０２において撮影レンズ鏡筒１０１或いは内包する光学系の少なくとも１部が所定の光学配置になったかどうかが判断される。所定の光学配置は第１の実施形態で記述した第１の配置、第２の配置のどちらでもよい。所定の光学配置になっていないと判断されるとステップＳ５０１に戻り、更に撮影光学系が駆動される。所定の光学配置になったと判断されると、ステップＳ５０３においてその光学配置に於ける被写体光を画像データとしてメモリに取り込む。画像データが取り込まれた後、ステップＳ５０４において直前に取り込まれた画像データよりもコントラストが低下しているかどうかが判断される。コントラストが低下していないと判断されるとステップＳ５０１に戻り光学配置を変更しつつ繰り返し画像を取り込んでいく。ステップＳ５０４においてコントラストが低下していると判断されるとステップＳ５０５において画像の取り込みを停止させる。画像の取り込みを停止させた後、ステップＳ５０６において取り込まれた複数の画像データからコントラストが最大になっている画像を選択する。コントラストはピントが合っている画像ほど高くなるのは周知の通りである。コントラストが最大の画像を選択後、ステップＳ５０７において選択された画像を記録媒体７であるメモリに記録する。画像を保存した後、撮影待機状態（ＳＴＯＰ）となる。
【００５８】
（第６の実施形態）
本発明を適用した第６の実施形態のデジタル・カメラについて説明する。デジタル・カメラの構成は第１の実施形態と同一でよいから説明を省略する。
【００５９】
レリーズボタン１０３が操作されてから記録されるまでのフローチャートを図１０に示す。
【００６０】
ＳＴＡＲＴがレリーズボタン１０３が操作された状態である。ステップＳ６０１において、撮影レンズ鏡筒１０１或いは内包する光学系の少なくとも１部が駆動される。ステップＳ６０２において撮影レンズ鏡筒１０１或いは内包する光学系の少なくとも１部が所定の光学配置になったかどうかが判断される。所定の光学配置は第１の実施形態で記述した第１の配置、第２の配置のどちらでもよい。所定の光学配置になっていないと判断されるとステップＳ６０１に戻り、更に撮影光学系が駆動される。所定の光学配置になったと判断されると、ステップＳ６０３においてその光学配置に於ける被写体光を第１の画像データとしてメモリに取り込む。第１の画像データが取り込まれた後、ステップＳ６０４において更に撮影レンズ鏡筒１０１或いは内包する光学系の少なくとも１部が駆動される。ステップＳ６０５において撮影レンズ鏡筒１０１或いは内包する光学系の少なくとも１部が所定の光学配置になったかが判断される。所定の光学配置になっていないと判断されるとステップＳ６０４に戻り、更に撮影光学系が駆動される。所定の光学配置になったと判断されると、ステップＳ６０６においてその光学配置に於ける被写体光を第２の画像データとしてメモリに取り込む。第２の画像データが取り込まれた後、ステップＳ２０７において第１の画像データと第２の画像データのコントラストをコントラスト測定部１０により測定し、コントラスト比較部３により第１の画像データのコントラストが第２の画像データのコントラストよりも高いかが判断される。コントラストはピントが合っている画像ほど高くなるのは周知の通りである。第１の画像データのコントラストが第２の画像データのコントラストよりも低いと判断されると、ステップＳ６０７５において、第１の画像データを第２の画像データと設定し、第２の画像データを第１の画像データと設定する。第１の画像データと第２の画像データが置換された後、ステップＳ６０７６において、第１の画像データを保持し、第２の画像データへの新たな画像データの上書きを許可する設定を行う。上書き設定が行われた後、ステップＳ６０４に戻り光学配置を変更し、被写体光を第２の画像データとして取り込み、第１の画像データと比較することを繰り返す。ステップＳ６０７において、第１の画像データのコントラストが第２の画像データのコントラストよりも高いと判断されると、ステップＳ６０８において画像の取り込みを停止させる。画像の取り込みを停止させた後、ステップＳ６０９において最後に第１の画像データとして保持されている画像データをメモリに記録する。画像を保存した後、撮影待機状態（ＳＴＯＰ）となる。
【００６１】
（第７の実施形態）
本発明を適用した第７の実施形態のデジタル・カメラについて説明する。デジタル・カメラの構成は第１の実施形態と同一でよいから説明を省略する。
【００６２】
レリーズボタン１０３が操作されてから記録されるまでのフローチャートを図１１に示す。
【００６３】
ＳＴＡＲＴがレリーズボタン１０３が操作された状態である。ステップＳ７０１において、撮影レンズ鏡筒１０１或いは内包する光学系の少なくとも１部が駆動される。ステップＳ７０２において撮影レンズ鏡筒１０１或いは内包する光学系の少なくとも１部が所定の光学配置になったかどうかが判断される。所定の光学配置は第１の実施形態で記述した第１の配置、第２の配置のどちらでもよい。所定の光学配置になっていないと判断されるとステップＳ７０１に戻り、更に撮影光学系が駆動される。所定の光学配置になったと判断されると、ステップＳ７０３においてその光学配置に於ける被写体光を画像データとしてメモリに取り込む。画像データが取り込まれた後、ステップＳ７０４においてデータ圧縮部８により画像データが圧縮される。圧縮方法は公知の技術でよい。例えばＪｐｅｇ形式やＴｉｆｆ形式等である。画像データが圧縮された後、ステップＳ７０５において、データサイズ判断部９によりデータサイズが直前に取り込まれた画像データのデータサイズよりも減少したかが判断される。データサイズが減少していないと判断されるとステップＳ７０１に戻り光学配置を変更しつつ繰り返し画像を取り込んでいく。ステップＳ７０５においてデータサイズが減少したと判断されるとステップＳ７０６において画像の取り込みを停止させる。画像の取り込みを停止させた後、ステップＳ７０７において取り込まれた複数の画像データからデータサイズが最大になっている画像を選択する。画像データサイズはピントが合っている画像ほど大きくなるのは周知の通りである。データサイズが最大の画像選択後、ステップＳ７０８において選択された画像を記録媒体７であるメモリに記録する。画像を保存した後、撮影待機状態（ＳＴＯＰ）となる。
【００６４】
（第８の実施形態）
本発明を適用した第８の実施形態のデジタル・カメラについて説明する。デジタル・カメラの構成は第１の実施形態と同一でよいから説明を省略する。
【００６５】
レリーズボタン１０３が操作されてから記録されるまでのフローチャートを図１２に示す。
【００６６】
ＳＴＡＲＴがレリーズボタン１０３が操作された状態である。ステップＳ８０１において、撮影レンズ鏡筒１０１或いは内包する光学系の少なくとも１部が駆動される。ステップＳ８０２において撮影レンズ鏡筒１０１或いは内包する光学系の少なくとも１部が所定の光学配置になったかどうかが判断される。所定の光学配置は第１の実施形態で記述した第１の配置、第２の配置のどちらでもよい。所定の光学配置になっていないと判断されるとステップＳ８０１に戻り、更に撮影光学系が駆動される。所定の光学配置になったと判断されると、ステップＳ８０３においてその光学配置に於ける被写体光を第１の画像データとしてメモリに取り込む。画像データが取り込まれた後、ステップＳ８０４において画像データが圧縮される。圧縮方法は公知の技術でよい。例えばＪｐｅｇ形式やＴｉｆｆ形式等である。画像データが圧縮された後、ステップＳ８０５において更に撮影レンズ鏡筒１０１或いは内包する光学系の少なくとも１部が駆動される。ステップＳ８０６において撮影レンズ鏡筒１０１或いは内包する光学系の少なくとも１部が所定の光学配置になったかどうかが判断される。所定の光学配置になっていないと判断されるとステップＳ８０５に戻り、更に撮影光学系が駆動される。所定の光学配置になったと判断されると、ステップＳ８０７においてその光学配置に於ける被写体光を第２の画像データとしてメモリに取り込む。第２の画像データが取り込まれた後、ステップＳ８０８において画像データが圧縮される。画像データが圧縮された後、ステップＳ８０９において第１の画像データと第２の画像データのデータサイズをデータサイズ判断部９により測定し、第１の画像データのデータサイズが第２の画像データのデータサイズよりも大きいかが判断される。画像データサイズはピントが合っている画像ほど大きくなるのは周知の通りである。第１の画像データのデータサイズが第２の画像データのデータサイズよりも小さいと判断されると、ステップＳ８０９５において、第１の画像データを第２の画像データと設定し、第２の画像データを第１の画像データと設定する。第１の画像データと第２の画像データが置換された後、ステップＳ８０９６において、第１の画像データを保持し、第２の画像データへの新たな画像データの上書きを許可する設定を行う。上書き設定が行われた後、ステップＳ８０５に戻り光学配置を変更し、被写体光を第２の画像データとして取り込み、第１の画像データと比較することを繰り返す。第１の画像データのデータサイズが第２の画像データのデータサイズよりも大きいと判断されると、ステップＳ８１０において、画像の取り込みを停止させる。画像の取り込みを停止させた後、ステップＳ８１１において最後に第１の画像データとして保持されている画像データをメモリに記録する。画像を保存した後、撮影待機状態（ＳＴＯＰ）となる。
【００６７】
（第９の実施形態）
本発明を適用した第９の実施形態のデジタル・カメラについて説明する。デジタル・カメラの構成は第１の実施形態と同一でよいから説明を省略する。
【００６８】
本実施形態では、フラッシュ発光が必要な状況での動作について述べる。フラッシュ発光が必要な状況では、コントラストを測定し、コントラストが最大になった直後にフラッシュ発光を行い、その時の被写体光を画像データとして取り込む。レリーズボタン１０３が操作されてから記録されるまでのフローチャートを図１３に示す。
【００６９】
ＳＴＡＲＴが画像データを取り込みつつコントラスト測定を行っている状態である。コントラスト測定は、第１の実施形態、第５の実施形態で示したように、連続して取り込みつつコントラスト測定を行っても良いし、第２の実施形態、第６の実施形態で示したように、２枚の画像を比較しつつコントラスト測定を行っても良い。ステップＡ０１において、測定されたコントラストが直前に取り込まれた画像データのコントラストよりも低下したかが判断される。低下していないと判断されると、繰り返し画像データを取り込みコントラスト測定を行う。画像データのコントラストが低下していると判断されると、ステップＡ０２において、カメラマイコン１は発光部５を構成するフラッシュ１０４を発光させる。フラッシュ発光時に、ステップＡ０３において被写体光を画像データとして取り込む。画像データを取り込んだ後、ステップＡ０４において画像データを記録媒体７であるメモリに記録する。画像を保存した後、撮影待機状態（ＳＴＯＰ）となる。
【００７０】
（第１０の実施形態）
本発明を適用した第１０の実施形態のデジタル・カメラについて説明する。デジタル・カメラの構成は第１の実施形態と同一でよいから説明を省略する。
【００７１】
本実施形態では、フラッシュ発光が必要な状況での動作について述べる。フラッシュ発光が必要な状況では、圧縮された画像のデータサイズが最大になった直後にフラッシュ発光を行い、その時の被写体光を画像データとして取り込む。レリーズボタン１０３が操作されてから記録されるまでのフローチャートを図１４に示す。
【００７２】
ＳＴＡＲＴが画像データを取り込みつつ画像圧縮を行い、圧縮された画像データのデータサイズ測定を行っている状態である。データサイズ測定は、第３の実施形態、第７の実施形態で示したように、連続して取り込みつつデータサイズ測定を行っても良いし、第４の実施形態、第８の実施形態で示したように、２枚の画像を比較しつつデータサイズ測定を行っても良い。ステップＢ０１において、測定されたデータサイズが直前に取り込まれた画像データのデータサイズよりも減少したかが判断される。減少していないと判断されると、繰り返し画像データを取り込み、画像圧縮を行い、圧縮された画像のデータサイズ測定を行う。画像データのデータサイズが減少していると判断されると、ステップＢ０２において、カメラマイコン１は発光部５を構成するフラッシュ１０４を発光させる。フラッシュ発光時に、ステップＢ０３において被写体光を画像データとして取り込む。画像データを取り込んだ後、ステップＢ０４において画像データを記録媒体７であるメモリに記録する。画像を保存した後、撮影待機状態（ＳＴＯＰ）となる。
【００７３】
（第１１の実施形態）
本発明を適用した第１１の実施形態のデジタル・カメラについて説明する。デジタル・カメラの構成は第１の実施形態と同一でよいから説明を省略する。
【００７４】
本実施形態では、フラッシュ発光が必要な状況での動作について述べる。フラッシュ発光が必要な状況では、コントラストを測定し、コントラストが最大となる光学配置を決定した後、コントラストが最大となる光学配置まで撮影光学系を再度移動させ、フラッシュ１０４を発光させ、その時の被写体光を画像データとして取り込む。レリーズボタン１０３が操作されてから記録されるまでのフローチャートを図１５に示す。
【００７５】
ＳＴＡＲＴがレリーズボタン１０３が操作された状態である。ステップＣ０１において、撮影レンズ鏡筒１０１或いは内包する光学系の少なくとも１部が駆動される。ステップＣ０２において、コントラスト測定を行う。コントラスト測定は、第１の実施形態、第５の実施形態で示したように、連続して取り込みつつコントラスト測定を行っても良いし、第２の実施形態、第６の実施形態で示したように、２枚の画像を比較しつつコントラスト測定を行っても良い。コントラスト測定を行った後、ステップＣ０３において、コントラストが最大となる光学配置が決定される。コントラストが最大となる光学配置が決定された後、ステップＣ０４において、撮影レンズ鏡筒１０１或いは内包する光学系の少なくとも１部が決定された光学配置に駆動される。撮影レンズ鏡筒１０１或いは内包する光学系の少なくとも１部が決定された光学配置に駆動された後、ステップＣ０５において、カメラマイコン１は発光部５を構成するフラッシュ１０４を発光させる。フラッシュ発光時に、ステップＣ０６において被写体光を画像データとして取り込む。画像データを取り込んだ後、ステップＣ０７において画像データを記録媒体７であるメモリに記録する。画像を保存した後、撮影待機状態（ＳＴＯＰ）となる。
【００７６】
（第１２の実施形態）
本発明を適用した第１２の実施形態のデジタル・カメラについて説明する。デジタル・カメラの構成は第１の実施形態と同一でよいから説明を省略する。
【００７７】
本実施形態では、フラッシュ発光が必要な状況での動作について述べる。フラッシュ発光が必要な状況では、圧縮された画像データのデータサイズを測定し、データサイズが最大となる光学配置を決定した後、データサイズが最大となる光学配置まで撮影光学系を再度移動させ、フラッシュ１０４を発光させ、その時の被写体光を画像データとして取り込む。レリーズボタン１０３が操作されてから記録されるまでのフローチャートを図１６に示す。
【００７８】
ＳＴＡＲＴがレリーズボタン１０３が操作された状態である。ステップＤ０１において、撮影レンズ鏡筒１０１或いは内包する光学系の少なくとも１部が駆動される。ステップＤ０２において、圧縮された画像データのデータサイズ測定を行う。データサイズ測定は、第３の実施形態、第７の実施形態で示したように、連続して取り込みつつデータサイズ測定を行っても良いし、第４の実施形態、第８の実施形態で示したように、２枚の画像を比較しつつデータサイズ測定を行っても良い。データサイズ測定を行った後、ステップＤ０３において、データサイズが最大となる光学配置が決定される。データサイズが最大となる光学配置が決定された後、ステップＤ０４において、撮影レンズ鏡筒１０１或いは内包する光学系の少なくとも１部が決定された光学配置に駆動される。撮影レンズ鏡筒１０１或いは内包する光学系の少なくとも１部が決定された光学配置に駆動された後、ステップＤ０５において、カメラマイコン１は発光部５を構成するフラッシュ１０４を発光させる。フラッシュ発光時に、ステップＤ０６において被写体光を画像データとして取り込む。画像データを取り込んだ後、ステップＤ０７において画像データを記録媒体７であるメモリに記録する。画像を保存した後、撮影待機状態（ＳＴＯＰ）となる。
【００７９】
以上のように、第１乃至第１０の実施形態によれば、撮影レンズ鏡筒を１方向に駆動するだけで所望の被写体に対するピントのあった画像が得られるため、タイムラグの少ない快適な撮影を行うことが可能となる。
【００８０】
更に、第２、第４、第６、及び第８の実施形態によれば、２枚の画像の比較で済むため、必要なメモリー容量が少なくて済む利点がある。
【００８１】
また、第１乃至第１２の実施形態によれば、取り込み回数を少なく設定できるため快適な撮影を行うことが可能となる。
【００８２】
また、第５乃至第８の実施形態によれば、不要なデータを処理する必要がないので快適な撮影を行うことが可能となる。
【００８３】
また、第９及び第１０の実施形態によれば、フラッシュ発光が必要な状況に於いても、快適な撮影を行うことが可能となる。
【００８４】
また、第１１及び第１２の実施形態によれば、フラッシュ発光が必要な状況に於いても、ピントの良い画像を得ることが可能となる。
【００８５】
【他の実施形態】
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の１部または全部を行い、その処理によって前述した実施形態の機能が実現される場合も含まれることは言うまでもない。
【００８６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の１部または全部を行い、その処理によって前述した実施形態の機能が実現される場合も含まれることは言うまでもない。
【００８７】
本発明を上記記憶媒体に適用する場合、その記憶媒体には、先に説明したフローチャートに対応するプログラムコードが格納されることになる。
【００８８】
【発明の効果】
以上説明したように、本発明によれば、撮像装置において、タイムラグの少ない撮影を可能とすることができる。
【図面の簡単な説明】
【図１Ａ】本発明の第１の実施形態に係わるデジタルカメラの前側斜視図である。
【図１Ｂ】本発明の第１の実施形態に係わるデジタルカメラの後側斜視図である。
【図２】本発明の第１の実施形態に係わるデジタルカメラのブロック図である。
【図３Ａ】コントラストの変化を示す図である。
【図３Ｂ】図３Ａの一部拡大図である。
【図４】画像選択の概念図である。
【図５】第１の実施形態のデジタルカメラの動作を示すフローチャートである。
【図６】第２の実施形態のデジタルカメラの動作を示すフローチャートである。
【図７】第３の実施形態のデジタルカメラの動作を示すフローチャートである。
【図８】第４の実施形態のデジタルカメラの動作を示すフローチャートである。
【図９】第５の実施形態のデジタルカメラの動作を示すフローチャートである。
【図１０】第６の実施形態のデジタルカメラの動作を示すフローチャートである。
【図１１】第７の実施形態のデジタルカメラの動作を示すフローチャートである。
【図１２】第８の実施形態のデジタルカメラの動作を示すフローチャートである。
【図１３】第９の実施形態のデジタルカメラの動作を示すフローチャートである。
【図１４】第１０の実施形態のデジタルカメラの動作を示すフローチャートである。
【図１５】第１１の実施形態のデジタルカメラの動作を示すフローチャートである。
【図１６】第１２の実施形態のデジタルカメラの動作を示すフローチャートである。
【符号の説明】
１００　カメラ本体
１０１　撮影レンズ鏡筒
１０２　ファインダー対物レンズ
１０３　レリーズボタン
１０４　フラッシュ
１０５　メイン電源スイッチ
１０６　液晶ディスプレイ
１０７　ファインダー接眼レンズ
１０８　ズームボタン
１０９ａ　モードボタン
１０９ｂ　デートボタン
１０９ｃ　セルフボタン
【図１Ａ】
2004015212.tif 000003
【図１Ｂ】
2004015212.tif 000004
【図２】
2004015212.tif 000005
【図３Ａ】
2004015212.tif 000006
【図３Ｂ】
2004015212.tif 000007
【図４】
2004015212.tif 000008
【図５】
2004015212.tif 000009
【図６】
2004015212.tif 000010
【図７】
2004015212.tif 000011
【図８】
2004015212.tif 000012
【図９】
2004015212.tif 000013
【図１０】
2004015212.tif 000014
【図１１】
2004015212.tif 000015
【図１２】
2004015212.tif 000016
【図１３】
2004015212.tif 000017
【図１４】
2004015212.tif 000018
【図１５】
2004015212.tif 000019
【図１６】
2004015212.tif 000020